(57)【要約】【課題】遊技機の発射操作装置における発射停止スイッチを操作するためのスイッチ操作部の位置を筒部の軸方向において変更できるようにする。【解決手段】本発明の遊技機の発射操作装置は、遊技機本体１００の前方に突出する筒部２と、この筒部２の先端側に設けられた発射操作部３と、筒部内に設けられたスイッチ取付体と、スイッチ取付体を筒部の軸方向に移動させるスライド機構と、スイッチ取付体に取り付けられた発射停止スイッチと、スイッチ取付体に設けられるとともに筒部の外部から発射停止スイッチを操作可能とするスイッチ操作部６とを備えた。【選択図】　　　　図１
2004141414.tif 000002
【特許請求の範囲】
【請求項１】
遊技機本体の前方に突出する筒部と、この筒部の先端側に設けられた発射操作部と、筒部内に設けられたスイッチ取付体と、スイッチ取付体を筒部の軸方向に移動させるスライド機構と、スイッチ取付体に取り付けられた発射停止スイッチと、スイッチ取付体に設けられるとともに筒部の外部から発射停止スイッチを操作可能とするスイッチ操作部とを備えたことを特徴とする遊技機の発射操作装置。
【請求項２】
スイッチ取付体の位置を所定の位置にロックするロック機構を備えたことを特徴とする請求項１に記載の遊技機の発射操作装置。
【発明の詳細な説明】
【０００１】
【発明の属する技術分野】
本発明は遊技機の発射操作装置に関し、特に、発射停止スイッチを備えた発射操作装置に関する。
【０００２】
【従来の技術】
遊技機本体の前方に突出する筒部と、この筒部の先端側に設けられた発射操作部とを備え、筒部の周囲に発射停止スイッチを操作するためのスイッチ操作部が複数設けられた遊技機の発射操作装置がある。発射停止スイッチは筒部内に設けられ、スイッチ操作部が筒部に設けられた孔を介して筒部の外部に突出するように設けられ、スイッチ操作部を操作することにより発射停止スイッチをＯＮ，ＯＦＦ操作できるようになっている。即ち、遊技者は発射操作部を操作しながら指でスイッチ操作部を操作して発射停止スイッチを作動させることで遊技機に発射停止を指示することが可能である（例えば、特許文献１参照）。
【０００３】
【特許文献１】
特開２００２−１４３４１０号公報
【０００４】
【発明が解決しようとする課題】
特許文献１の発射操作装置では、筒部の周囲に設けられたスイッチ操作部の位置は固定であって、筒部の軸方向に移動できない。したがって、例えば、一般の遊技機に対して女性専用遊技機のスイッチ操作部を、手の小さい人が多い女性遊技者にとって操作しやすいような位置に設定することは不可能であった。
【０００５】
本発明は、上記課題を解消するためになされたもので、スイッチ操作部の位置を筒部の軸方向において変更できるようにする。
【０００６】
【課題を解決するための手段】
本発明の遊技機の発射操作装置は、遊技機本体の前方に突出する筒部と、この筒部の先端側に設けられた発射操作部と、筒部内に設けられたスイッチ取付体と、スイッチ取付体を筒部の軸方向に移動させるスライド機構と、スイッチ取付体に取り付けられた発射停止スイッチと、スイッチ取付体に設けられるとともに筒部の外部から発射停止スイッチを操作可能とするスイッチ操作部とを備えたことにより、スイッチ操作部の位置を筒部の軸方向において変更できるようにした。また、スイッチ取付体の位置を所定の位置にロックするロック機構を備えた。
【０００７】
【発明の実施の形態】
実施形態１．
以下、本発明の実施形態１を図に基づいて説明する。図１は本実施の形態１による遊技機の発射操作装置の外観図、図２は筒部において発射停止スイッチが設けられている側を筒部の内部側から見た図、図３は図２のＡ−Ａ断面図、図４は図２のＢ−Ｂ断面図、図５はロック機構装置、スイッチ取付ボックス、カバー部材（カバー部材は２点鎖線で示してある）の関係を示す斜視図である。
各図において、発射操作装置１は、遊技機本体１００の前方に突出する筒部２と、この筒部２の先端側に設けられた発射操作部３とを備え、遊技機本体１００の側部１０１側に位置する筒部２の側部２ａには筒部２の側部壁２ｂを貫通し筒部２の軸方向に延長する長孔４が形成されており、筒部２内に設けられた発射停止スイッチ５を操作するためのスイッチ操作部６を長孔４を介して筒部２の外部に突出させて外部から発射停止スイッチ５を操作できるように設け、かつ、スイッチ操作部６が長孔４を介して筒部２の軸方向Ｈに移動可能なように構成されている。
発射操作部３は、グリップ部３ａとこのグリップ部３ａに回動可能に取付けられたハンドルレバー３ｂを有し、遊技者がハンドルレバー３ｂを一方向に回動操作すると、グリップ部３ａの内側に配置されたギヤを介してボリューム（可変抵抗器）の軸が回動してボリュームの抵抗値が変化することによって、ハンドルレバー３ｂの回転動作量に対応する電圧が発射制御装置に出力され、これにより発射機構装置のソレノイドやモータ等のアクチュエータに球をハンドルレバー３ｂの操作量に応じた強さで発射させる。
発射停止スイッチ５が取付けられるスイッチ取付ボックス（スイッチ取付体）１０は、ボックス本体１１とボックス本体１１の後側開口を塞ぐようにボックス本体１１にねじ等で取付けられる後蓋１２とから構成されている。スイッチ取付ボックス１０の前側（図３，４の左側を前側として説明する）には、上記長孔４内に挿入されて長孔４の内壁４ａに対してスライド可能なスライド部１３が形成されている。スライド部１３の内側にはスイッチ操作部６を挿通させる挿通孔１４が形成されている。スイッチ操作部６には抜け止め防止部１５が設けられている。ボックス本体１１に対するスイッチ操作部６や発射停止スイッチ５の組付けは、スイッチ操作部６の一端側（操作側）を挿通孔１４に通して筒部２の外部に突出させ、筒部２の内部に残るスイッチ操作部６の他端側にコイルばね１６を一端側から挿入する。そして、内側に発射停止スイッチ５が固定された後蓋１２をボックス本体１１に取付ける。このとき、スイッチ操作部６の他端で押圧されるスイッチ軸５ａをコイルばね１６の他端側に挿入しながら取付ける。
スイッチ取付ボックス１０の横に取付けられるロック機構装置２０は、前側にスイッチ取付ボックス１０のスライド部１３と同様なスライド部２１を備えたブロック体２２にロック片２３を組み付けて成るものである。長孔４の内壁４ａとスライド部１３，２１とで、スイッチ取付ボックス１０を筒部２の軸方向に移動させるスライド機構が構成される。ブロック体２２には、ロック片２３が組付けられる上部及び後部開放の組付孔２４が形成されており、ロック片２３の下方側面に設けられた回転中心軸２５を組付孔２４の内側面に形成された孔（図示せず）に取付けることで、ロック片２３は回転中心軸２５を介して回転可能に取付けられている。ロック片２３の上部には後側に延長するロック片操作部２６が設けられる。ブロック体２２の前側上部にはロック片２３の上部の前側に対向するコイルばね固定部２７が設けられ、コイルばね２８の一端側はコイルばね固定部２７に形成された固定孔２９に固定され、コイルばね２８の他端側はロック片２３の上部の前側に取付けられる。ロック片２３の上部の前側にはコイルばね２８の他端側のコイル径内に入り込む突出部３０が設けられている。ロック片２３を上述したように組付けた後に組付孔２４の後部側を後蓋３１で塞ぐ。そして、スイッチ取付ボックス１０及びロック機構装置２０のスライド部１３，２１を筒部２の長孔４に挿入し、スイッチ操作部６の一端側（操作側）を筒部２の外部に突出させた状態で、スイッチ取付ボックス１０及びロック機構装置２０を覆うようにカバー部材４０を取付フランジ４１を介してねじ４２で筒部２の側部壁２ｂの内側２ｃに取付ける。カバー部材４０は筒部２の軸方向に長いものであり、カバー部材の後壁４３はスイッチ取付ボックス１０及びロック機構装置２０の後側を押さえており、これにより、スイッチ取付ボックス１０及びロック機構装置２０が筒部２の内部方向に移動することはない。また、カバー部材４０にはロック片操作部２６をスライド可能とする長孔４４が形成されており、この長孔４４の上部側の壁の内側にはロック片２３の上部側が入り込んで係止するロック溝４５が適宜間隔で複数形成されている。尚、円筒状の筒部２は断面半円状の２つの半割部材２Ａ，２Ｂで構成され、長孔４が形成された半割部材２Ａにスイッチ取付ボックス１０、ロック機構装置２０、カバー部材４０を組付けた後に、もう一つの半割部材２Ｂを接着剤などで接合して筒部２を形成する。また、図１の５０は下皿装置、図３，４の５１は発射停止スイッチの信号線であり、これはカバー部材４０に形成された下部開口５２を介して引き出されて引き回され、発射制御装置に接続される。
以上の構成によれば、パチンコ店の従業員が筒部２の根元裏側から筒部２内に治具等を挿入してロック片操作部２６を操作し、ロック片２３とロック溝４４との係合を解いて、スイッチ操作部６の位置を変更できる。この場合、ロック機構装置２０及びスイッチ取付ボックス１０の位置を図２のスライド可能幅Ｘの範囲で移動させることができ、スイッチ操作部６の位置を筒部２の軸方向の任意に位置に変更できるので、例えば、女性専用遊技機のスイッチ操作部６の位置を女性遊技者が操作しやすいように設定すること等が可能となる。また、不正防止を重視するパチンコ店においては、遊技者がスイッチ操作部６を操作している時と操作をしていない時とを判別しやすい位置にスイッチ操作部６の位置を設定したいという要望がある。この場合、グリップ部３ａから離れた位置にスイッチ操作部６を設定すれば、スイッチ操作部６を操作しているか否かがわかりやすくなり、スイッチ操作部６を操作していないのにハンドルレバー３ｂを操作する遊技者の手の動きが不審であるような場合を判別しやすくなるので、不正行為防止対策にもなる。逆に、遊技者を重視する店においては遊技者がスイッチ操作部６を操作しやすいようにグリップ部３ａの近くにスイッチ操作部６の位置を設定できる。
【０００８】
実施形態２．
実施形態１では、パチンコ店側のみがスイッチ操作部６の位置を変更できる構成を説明したが、遊技者がスイッチ操作部６の位置を変更できるように構成してもよい。この場合、例えば、図６に示すように、ロック機構装置２０のブロック体２２に、ロック棒６０を進退自在に収納する孔６１を設け、孔６１内においてコイルばね２８で付勢されたロック棒６０の半球状先端６２に対応するカバー部材４０の後壁４３の内側にロック棒６０の半球状先端６２が浅く入り込むロック溝６３を筒部２の軸方向に沿って適宜間隔で複数設けるようにすればよい。これにより、遊技者がスイッチ操作部６を移動させると、ロック棒６０の半球状先端６２がロック溝６３に嵌まる位置にスイッチ操作部６の位置を決めることができる。そしてさらにスイッチ操作部６の位置を変更したい場合は、若干力を加えてコイルばね２８を縮ませることでロック棒６０がロック溝６３から抜け出すので、これにより、スイッチ操作部６の位置を移動させることができる。
また、この場合、ロック溝６３を設けずに、ロック棒６０の半球状先端６２とカバー部材４０の内壁との摩擦によるロック機構としてもよい。
【０００９】
実施形態３．
各実施形態では、ロック機構を備えた構成を説明したが、ロック機構を備えない構成として、スイッチ操作部６を自由に移動できるようにしてもよい。この場合、カバー部材４０を備えない構成も可能である。例えば、図７に示すように、ブロック体２２Ｂに断面Ｔ字状などのスライド部７０を形成し、このスライド部７０が嵌まり込む断面Ｔ字状などのスライド溝７１を筒部２の側部壁２ｂの内側２ｃに軸方向に延長するように形成すればよい。即ち、スライド部７とスライド溝７１とでスイッチ取付ボックス１０を筒部の軸方向に移動させるスライド機構を構成する。この場合、ブロック体２２Ｂ及びスイッチ取付ボックス１０を保持するカバー部材４０は不要となる。
【００１０】
尚、スイッチ操作部６の操作側を筒部２の外部に突出させたが、スイッチ操作部６の操作側先端を指等で押圧操作できるようにすれば、この操作側先端が筒部２の外部に突出していなくともよい。
【図面の簡単な説明】
【図１】本発明の実施形態１による発射操作装置の外観図。
【図２】発射操作装置の筒部において発射停止スイッチが設けられている側を筒部の内部側から見た図。
【図３】図２のＡ−Ａ断面図。
【図４】図２のＢ−Ｂ断面図。
【図５】ロック機構装置、スイッチ取付ボックス、カバー部材の関係を示す斜視図。
【図６】実施形態２を示す断面図。
【図７】実施形態３を示す断面図。
【符号の説明】
１　発射操作装置、２　筒部、３　発射操作部、４　長孔（スライド機構）、５　発射停止スイッチ、６　スイッチ操作部、１０　スイッチ取付ボックス（スイッチ取付体）、１３，２１　スライド部（スライド機構）
２０　ロック機構装置。
【図１】
2004141414.tif 000003
【図２】
2004141414.tif 000004
【図３】
2004141414.tif 000005
【図４】
2004141414.tif 000006
【図５】
2004141414.tif 000007
【図６】
2004141414.tif 000008
【図７】
2004141414.tif 000009